(57)【特許請求の範囲】
【請求項１】
内部に飯器を収納し得るように構成された炊飯器本体と、該炊飯器本体の開口を開閉自在に覆蓋する蓋体と、前記飯器を加熱する電磁誘導コイルとを備え、前記炊飯器本体を、金属製の円筒形状の胴ケースと、底壁となる合成樹脂製の皿形状の底部材と、内周壁となる合成樹脂製の有底筒状の保護枠と、該保護枠の上端と前記胴ケースの上端とを結合する合成樹脂製の肩部材とによって構成した電気炊飯器であって、前記保護枠の中心を、前記炊飯器本体の中心より後方側に位置させ、前記保護枠と前記底部材とを結合手段により結合するとともに、前記炊飯器本体における空間部の前部には、制御基板、電源基板、該電源基板を冷却する冷却ファンおよび金属製のヒートシンクを配置し且つ前記制御基板および電源基板を、前後並列に立設された基板カバーに対して垂直に支持する一方、前記基板カバーのうち前方側に位置する制御基板用の基板カバーの下端には、前記底部材に対して結合される底固定部を一体に延設したことを特徴とする電気炊飯器。
【請求項２】
前記底固定部と前記底部材とをビス結合により結合するとともに、前記制御基板における前記底固定部の内方には、電力調整用の条件設定部材を設けて、該条件設定部材の調整を、前記底部材のビス穴を介して行い得るようにしたことを特徴とする前記請求項１記載の電気炊飯器。
【請求項３】
内部に飯器を収納し得るように構成された炊飯器本体と、該炊飯器本体の開口を開閉自在に覆蓋する蓋体と、前記飯器を加熱する電磁誘導コイルとを備え、前記炊飯器本体を、金属製の円筒形状の胴ケースと、底壁となる合成樹脂製の皿形状の底部材と、内周壁となる合成樹脂製の有底筒状の保護枠と、該保護枠の上端と前記胴ケースの上端とを結合する合成樹脂製の肩部材とによって構成した電気炊飯器であって、前記保護枠の中心を、前記炊飯器本体の中心より後方側に位置させ、前記保護枠と前記底部材とを結合手段により結合するとともに、前記炊飯器本体における空間部の前部には、制御基板、電源基板、該電源基板を冷却する冷却ファンおよび金属製のヒートシンクを配置し且つ前記制御基板および電源基板を、前後並列に立設された基板カバーに対して垂直に支持する一方、前記冷却ファンを、前記基板カバーのうち後方側に位置する電源基板用の基板カバーの下端に形成された凹部に収納した状態で配設したことを特徴とする電気炊飯器。
【請求項４】
前記冷却ファンの前方側の位置決めを、前記底固定部への当接により行うようにしたことを特徴とする前記請求項３記載の電気炊飯器。
【発明の詳細な説明】
【０００２】
【発明の属する技術分野】
【０００３】
本願発明は、電気炊飯器に関し、さらに詳しくはコンパクト化を図った電気炊飯器に関するものである。
【従来の技術】
【０００４】
例えば、電気炊飯器において、内部に飯器を収納するための炊飯器本体を、金属製の円筒形状の胴ケースと、底壁となる合成樹脂製の皿形状の底部材と、内周壁となる合成樹脂製の有底筒状の保護枠と、該保護枠の上端と前記胴ケースの上端とを結合する合成樹脂製の肩部材とによって構成するようにしたものが従来から知られている。
【発明が解決しようとする課題】
【０００５】
ところで、電気炊飯器のコンパクト化を図るためには、炊飯器本体内において、飯器を収納する保護枠をできるだけ後方側（即ち、蓋体を支持しているヒンジ側）に位置させるのが好ましいという事実がある。
【０００６】
一方、炊飯器本体における底部材は、保護枠に対して結合されることとなっている。
【０００７】
上記のような構成とすると、保護枠内に収納される飯器の重量がかさむ関係から、底部材と保護枠との結合荷重が炊飯器本体の後方側に偏ってしまう。すると、肩部材と底部材との間に胴ケースが挟まれる構造となっている炊飯器本体の前方側において、肩部材と胴ケースとの間あるいは底部材と胴ケースとの間に隙間ができてしまうおそれがある。
【０００８】
本願発明は、上記の点に鑑みてなされたもので、電気炊飯器のコンパクト化を図りつつ、炊飯器本体の前方側における肩部材と胴ケースとの間あるいは底部材と胴ケースとの間に隙間ができないようにすることを目的とするものである。
【課題を解決するための手段】
【０００９】
請求項１の発明では、上記課題を解決するための手段として、内部に飯器を収納し得るように構成された炊飯器本体と、該炊飯器本体の開口を開閉自在に覆蓋する蓋体と、前記飯器を加熱する電磁誘導コイルとを備え、前記炊飯器本体を、金属製の円筒形状の胴ケースと、底壁となる合成樹脂製の皿形状の底部材と、内周壁となる合成樹脂製の有底筒状の保護枠と、該保護枠の上端と前記胴ケースの上端とを結合する合成樹脂製の肩部材とによって構成した電気炊飯器において、前記保護枠の中心を、前記炊飯器本体の中心より後方側に位置させ、前記保護枠と前記底部材とを結合手段により結合するとともに、前記炊飯器本体における空間部の前部に、制御基板、電源基板、該電源基板を冷却する冷却ファンおよび金属製のヒートシンクを配置し且つ前記制御基板および電源基板を、前後並列に立設された基板カバーに対して垂直に支持する一方、前記基板カバーのうち前方側に位置する制御基板用の基板カバーの下端に、前記底部材に対して結合される底固定部を一体に延設している。
【００１０】
上記のように構成したことにより、保護枠の中心を、炊飯器本体の中心より後方側に位置させ、保護枠と底部材とを結合手段により結合したことによって、結合荷重の後方側の偏りが生じたとしても、炊飯器本体における前方側空間部に、制御基板、電源基板、該電源基板を冷却する冷却ファンおよび金属製のヒートシンクを配置したことにより、冷却ファンおよび金属製のヒートシンクの荷重により前記結合荷重の偏りが解消されることとなる。従って、保護枠の後方側への配置によって炊飯器本体のコンパクト化を図りつつ、結合荷重の後方側の偏りによって生ずる炊飯器本体の前方側における肩部材と胴ケースとの間あるいは底部材と胴ケースとの間の隙間発生を防止することができる。また、前記制御基板および電源基板を、前後並列に立設された基板カバーに対して垂直に支持したことにより、制御基板および電源基板の前後方向配置スペースを可及的に小さくできることとなり、炊飯器本体のコンパクト化に寄与する。また、前記基板カバーのうち前方側に位置する制御基板用の基板カバーの下端に、前記底部材に対して結合される底固定部を一体に延設したことにより、基板カバーに延設された底固定部に底部材を結合させることができることとなり、肩部材と胴ケースとの間あるいは底部材と胴ケースとの間の隙間発生をより確実に防止することができる。
【００１１】
請求項２の発明におけるように、請求項１記載の電気炊飯器において、前記底固定部と前記底部材とをビス結合により結合するとともに、前記制御基板における前記底固定部の内方に、電力調整用の条件設定部材を設けて、該条件設定部材の調整を、前記底部材のビス穴を介して行い得るようにした場合、制御基板を底部材に結合するための底固定部を利用して電力調整用の条件設定部材の調整を行うことができることとなり、構造の簡略化を図ることができる。
【００１２】
請求項３の発明では、上記課題を解決するための手段として、内部に飯器を収納し得るように構成された炊飯器本体と、該炊飯器本体の開口を開閉自在に覆蓋する蓋体と、前記飯器を加熱する電磁誘導コイルとを備え、前記炊飯器本体を、金属製の円筒形状の胴ケースと、底壁となる合成樹脂製の皿形状の底部材と、内周壁となる合成樹脂製の有底筒状の保護枠と、該保護枠の上端と前記胴ケースの上端とを結合する合成樹脂製の肩部材とによって構成した電気炊飯器において、前記保護枠の中心を、前記炊飯器本体の中心より後方側に位置させ、前記保護枠と前記底部材とを結合手段により結合するとともに、前記炊飯器本体における空間部の前部に、制御基板、電源基板、該電源基板を冷却する冷却ファンおよび金属製のヒートシンクを配置し且つ前記制御基板および電源基板を、前後並列に立設された基板カバーに対して垂直に支持する一方、前記冷却ファンを、前記基板カバーのうち後方側に位置する電源基板用の基板カバーの下端に形成された凹部に収納した状態で配設している。
【００１３】
上記のように構成したことにより、保護枠の中心を、炊飯器本体の中心より後方側に位置させ、保護枠と底部材とを結合手段により結合したことによって、結合荷重の後方側の偏りが生じたとしても、炊飯器本体における前方側空間部に、制御基板、電源基板、該電源基板を冷却する冷却ファンおよび金属製のヒートシンクを配置したことにより、冷却ファンおよび金属製のヒートシンクの荷重により前記結合荷重の偏りが解消されることとなる。従って、保護枠の後方側への配置によって炊飯器本体のコンパクト化を図りつつ、結合荷重の後方側の偏りによって生ずる炊飯器本体の前方側における肩部材と胴ケースとの間あるいは底部材と胴ケースとの間の隙間発生を防止することができる。また、前記制御基板および電源基板を、前後並列に立設された基板カバーに対して垂直に支持したことにより、制御基板および電源基板の前後方向配置スペースを可及的に小さくできることとなり、炊飯器本体のコンパクト化に寄与する。また、前記冷却ファンを、前記基板カバーのうち後方側に位置する電源基板用の基板カバーの下端に形成された凹部に収納した状態で配設したことにより、冷却ファンと電源基板用の基板カバーとが占める上下寸法をできるだけ小さくすることができることとなり、炊飯器本体の高さ寸法のコンパク化に寄与する。
【００１４】
請求項４の発明におけるように、請求項３記載の電気炊飯器において、前記冷却ファンの前方側の位置決めを、前記底固定部への当接により行うようにした場合、冷却ファンの位置決めを底固定部を利用して行うことができることとなり、部品点数の低減に寄与する。
【発明の実施の形態】
【００１５】
以下、添付の図面を参照して、本願発明の好適な実施の形態について詳述する。
【００１６】
この電気炊飯器は、図１に示すよう、内部に炊飯用の飯器３を収納し得るように構成され且つ空間部４を有する二重構造の炊飯器本体１と、該炊飯器本体１の上部開口を開閉自在に覆蓋する蓋体２とを備えている。
【００１７】
前記炊飯器本体１は、外側壁となるステンレス製の円筒形状の胴ケース５と、底壁となる合成樹脂製の皿形状の底部材６と、内周壁となる合成樹脂製の有底筒状の保護枠７と、該保護枠７の上端と前記胴ケース５の上端とを結合する合成樹脂製の肩部材８とによって構成されており、前記胴ケース５、底部材６、保護枠７および肩部材８に囲まれて前記空間部４が形成されている。なお、前記保護枠７内には、前記飯器３が取り出し可能に収納されることとなっている。
【００１８】
一方、前記蓋体２は、外面を構成する合成樹脂製の上板２３と、該上板２３の外周縁に接合される合成樹脂製のドーナツ形状の下部縁板２４と、該下部縁板２４の内周縁に取り付けられる熱良導体（例えば、アルミ合金等）からなる放熱板２５とによって構成されており、前記これらの板材２３，２４，２５に囲まれた空間部２６には、断熱材２７が配設されている。前記放熱板２５の上面には、蓋ヒータ２８が設けられている。
【００１９】
この蓋体２は、前記炊飯器本体１の肩部を構成する肩部材８の一側（即ち、後部側）に一体に形成されたヒンジ部２９に対してヒンジピン３０を介して弧回動自在に取り付けられている。符号３１は蓋体２を閉止状態に保持するためのロック機構、３２は調圧筒、３３は蒸気通路、３４は内蓋である。
【００２０】
ところで、本実施の形態においては、炊飯器本体１の外形寸法のコンパクト化を図るべく、前記保護枠７を、前記炊飯器本体１の中心Ｏより後方側に中心Ｏ′が位置せしめられるようにして配設されており、前記保護枠７と前記底部材６とは、該保護枠７の中心Ｏ′を基準とした同一円周上に位置する４個の結合手段３５，３５・・により結合されることとなっている。つまり、保護枠７の中心Ｏ′と結合手段３５，３５・・とが同一半径上に設定されているのである（図２参照）。
【００２１】
前記各結合手段３５は、前記保護枠７から一体に垂設された取付用ボス３６と該取付用ボス３６に対して前記底部材６に形成されたビス穴３８から螺着されるビス３７とによって構成されている。このように構成すると、炊飯器本体１における結合荷重が該炊飯器本体１の中心Ｏより後方側に偏ってしまうこととなる（図２および図３参照）。
【００２２】
前記保護枠７の底面中央部には、飯器温度を検出するための温度検出手段として作用するセンタセンサー９を臨ませるためのセンサー穴１０が形成されている。
【００２３】
前記センタセンサー９を包囲するように炊飯時における加熱手段として作用する環状の電磁誘導コイル（以下、ワークコイルという）１１，１１が前記保護枠７の底面および該底面から側周面に至る間の湾曲部に対応して配設されている。該各ワークコイル１１は、交番磁界を発生するものであり、該交番磁界の電磁誘導により前記飯器３に誘導渦電流を発生させ、該誘導渦電流の抵抗熱を利用して加熱するものとされている。なお、飯器３は、ワークコイル１１により誘導渦電流を発生させることのできる材質（例えば、磁性体材料）により構成される。
【００２４】
前記ワークコイル１１は、前記保護枠７の底面に対して固定されたコイルダイ１２と前記保護枠７の底面との間に挟持されている。符号３９は磁気遮断用のフェライトコアである。
【００２５】
前記センサー穴１０内には、前記飯器３の底部に対して接触するようにして前記センタセンサー９が設けられている。
【００２６】
前記炊飯器本体１における空間部４の前部には、前記ワークコイル１１の通電制御を行うためのパワートランジスタおよび整流用ダイオードブリッジ（図示省略）等の電子部品を備えた電源用の電源基板１３とマイコン制御用の制御基板１４とが前後に並列状態で縦向きに配設された基板カバー１５，１６にそれぞれ支持されて配置されるとともに、前記電源基板１３を冷却する冷却ファン１８および金属製のヒートシンク２０が配置されている。符号２１は前記保護枠７の側周面に設けられた保温ヒータである。
【００２７】
上記のように構成したことにより、保護枠７の中心Ｏ′を、炊飯器本体１の中心Ｏより後方側に位置させ、保護枠７と底部材６とを、該保護枠７の中心Ｏ′を基準とした同一円周上に位置する４個の結合手段３５，３５・・により結合したことによって結合荷重の後方側の偏りが生じたとしても、炊飯器本体１における空間部４の前部に、前後並列に立設された基板カバー１５，１６に対して垂直に支持された電源基板１３および制御基板１４と、該電源基板１３を冷却する冷却ファン１８および金属製のヒートシンク２０を配置したことにより、冷却ファン１８および金属製のヒートシンク２０の荷重により前記結合荷重の偏りが解消されることとなる。従って、保護枠７の後方側への配置によって炊飯器本体１のコンパクト化を図りつつ、結合荷重の後方側の偏りによって生ずる炊飯器本体１の前方側における肩部材８と胴ケース５との間あるいは底部材６と胴ケース５との間の隙間発生を防止することができる。
【００２８】
前記電源基板１３が支持されている基板カバー１５の下端部中央には、凹部１７が形成されていて、該凹部１７には、前記電子部品へ冷却風を圧送する電子部品冷却用の冷却ファン１８が配設されている。このようにすると、冷却ファン１８と電源基板用の基板カバー１５とが占める上下寸法をできるだけ小さくすることができることとなり、炊飯器本体１の高さ寸法のコンパク化に寄与する。
【００２９】
前記制御基板用の基板カバー１６の上端には、スイッチ基板４０を支持すべく斜め上方に延設された基板カバー４１が一体に設けられている（図４および図５参照）。また、前記基板カバー１６の下端には、前記底部材６に対してビス４３により結合される樋状の底固定部４２が一体に延設されている。そして、前記制御基板１４における前記底固定部４２の内方には、電力調整用の条件設定部材４４が設けられており、該条件設定部材４４の調整は、前記底部材６に前記ビス４３を螺合させるために形成されたビス穴４５を介して行い得るようになっている。その結果、前記底固定部４２は、炊飯器本体１内における空間部４の前端付近に位置することとなり、ビス穴４５は、底部材６における前端付近に位置することとなる。このようにすると、基板カバー１６に延設された底固定部４２に底部材６をビス結合させることにより、肩部材８と胴ケース５との間あるいは底部材６と胴ケース５との間の隙間発生をより確実に防止することができる。また、制御基板１４を底部材６に結合するための底固定部４２を利用して電力調整用の条件設定部材４４の調整を行うことができることとなり、構造の簡略化を図ることができる。
【００３０】
さらに、前記冷却ファン１８の前方側の位置決めは、前記底固定部４２への当接により行われることとなっている。このようにすると、冷却ファン１８の位置決めを底固定部４２を利用して行うことができることとなり、部品点数の低減に寄与する。
【００３１】
前記炊飯器本体１における空間部４の後部には、コードリール２２が縦置き状態で配設されている。
【００３２】
前記底部材６には、図３に示すように、前方側に位置し且つ前記冷却ファン１８と対向する多数の吸気口１９，１９・・と後方側（即ち、コードリール２２の直前に対応する部分）に位置する多数の排気口４６，４６・・とが形成されており、前記吸気口１９，１９・・は、前記結合手段３５，３５・・より前方であって前記底部材６の前後に形成された４個の支持脚４７，４７・・のうち前方側の２個の支持脚４７，４７の間に位置せしめられている。このようにすると、保護枠７をできるだけ後方側に位置させたことにより炊飯器本体１内の前方側に形成される空間部４を有効に利用して冷却ファン１８およびヒートシンク２０を配置することができるとともに、４個の支持脚４７，４７・・のうち前方側の２個の支持脚４７，４７の間の空間を利用して吸気通路を確保できることとなり、炊飯器本体１のコンパク化に寄与する。しかも、コードリール２２の前面に沿って排気口４７，４７・・への空気流れを円滑に形成できることとなる。なお、本実施の形態においては、前記吸気口１９，１９・・が形成されている部位から前記前方側に位置する２個の支持脚４７，４７のうちの一方側にかけての部分は、下向きに凸な形状とされている。このようにした理由は、電源基板１３の下端にリード線（図示省略）を接続するに当たって接続端子が下向きに突出したとしても、該突出を前記凸形状で吸収できるからである。
【００３３】
また、前記底部材６の内面には、防磁板を兼ねた遮熱板４８が取り付けられており、該遮熱板４８には、前記吸気口１９，１９・・および排気口４７，４７・・と連通する連通穴４９，４９・・が形成されている。このようにすると、底部材６下方への磁気および熱の伝搬を１枚の遮熱板４８で行うことができるとともに、連通穴４９，４９・・により吸排気通路を確保することができる。
【００３４】
さらにまた、前記保護枠７におけるワークコイル１１，１１を囲繞するようにして環状の防磁材５０が設けられており、該防磁材５０は、前方側を基板カバー１５に支持され、後方側をコードリール２２に支持された状態で取り付けられている。この防磁材５０は、ワークコイル１１，１１からの電磁誘導が金属製（例えば、ステンレス製）の胴ケース５に影響を及ぼさないようする作用を有している。
【００３５】
上記各実施の形態においては、加熱手段としてワークコイルを用いているが、本願発明は、加熱手段として電気ヒータを用いたものにも適用可能なことは勿論である。
【発明の効果】
【００３６】
請求項１の発明によれば、内部に飯器を収納し得るように構成された炊飯器本体と、該炊飯器本体の開口を開閉自在に覆蓋する蓋体と、前記飯器を加熱する電磁誘導コイルとを備え、前記炊飯器本体を、金属製の円筒形状の胴ケースと、底壁となる合成樹脂製の皿形状の底部材と、内周壁となる合成樹脂製の有底筒状の保護枠と、該保護枠の上端と前記胴ケースの上端とを結合する合成樹脂製の肩部材とによって構成した電気炊飯器において、前記保護枠を、前記炊飯器本体の中心より後方側に位置させ、前記保護枠と前記底部材とを結合手段により結合するとともに、前記炊飯器本体における空間部の前部に、制御基板、電源基板、該電源基板を冷却する冷却ファンおよび金属製のヒートシンクを配置して、保護枠を、炊飯器本体の中心より後方側に位置させ、保護枠と底部材とを結合手段により結合したことによって結合荷重の後方側の偏りが生じたとしても、炊飯器本体における空間部の前部に配置した冷却ファンおよび金属製のヒートシンクの荷重により前記結合荷重の偏りが解消されるようにしたので、保護枠の後方側への配置によって炊飯器本体のコンパクト化を図りつつ、結合荷重の後方側の偏りによって生ずる炊飯器本体の前方側における肩部材と胴ケースとの間あるいは底部材と胴ケースとの間の隙間発生を防止することができるという効果がある。また、前記制御基板および電源基板を、前後並列に立設された基板カバーに対して垂直に支持したことにより、制御基板および電源基板の前後方向配置スペースを可及的に小さくできることとなり、炊飯器本体のコンパクト化に寄与するという効果もある。また、前記基板カバーのうち前方側に位置する制御基板用の基板カバーの下端に、前記底部材に対して結合される底固定部を一体に延設したことにより、基板カバーに延設された底固定部に底部材を結合させることができることとなり、肩部材と胴ケースとの間あるいは底部材と胴ケースとの間の隙間発生をより確実に防止することができるという効果もある。
【００３７】
請求項２の発明におけるように、請求項１記載の電気炊飯器において、前記底固定部と前記底部材とをビス結合により結合するとともに、前記制御基板における前記底固定部の内方に、電力調整用の条件設定部材を設けて、該条件設定部材の調整を、前記底部材のビス穴を介して行い得るようにした場合、制御基板を底部材に結合するための底固定部を利用して電力調整用の条件設定部材の調整を行うことができることとなり、構造の簡略化を図ることができる。
【００３８】
請求項３の発明によれば、内部に飯器を収納し得るように構成された炊飯器本体と、該炊飯器本体の開口を開閉自在に覆蓋する蓋体と、前記飯器を加熱する電磁誘導コイルとを備え、前記炊飯器本体を、金属製の円筒形状の胴ケースと、底壁となる合成樹脂製の皿形状の底部材と、内周壁となる合成樹脂製の有底筒状の保護枠と、該保護枠の上端と前記胴ケースの上端とを結合する合成樹脂製の肩部材とによって構成した電気炊飯器において、前記保護枠を、前記炊飯器本体の中心より後方側に位置させ、前記保護枠と前記底部材とを結合手段により結合するとともに、前記炊飯器本体における空間部の前部に、制御基板、電源基板、該電源基板を冷却する冷却ファンおよび金属製のヒートシンクを配置して、保護枠を、炊飯器本体の中心より後方側に位置させ、保護枠と底部材とを結合手段により結合したことによって結合荷重の後方側の偏りが生じたとしても、炊飯器本体における空間部の前部に配置した冷却ファンおよび金属製のヒートシンクの荷重により前記結合荷重の偏りが解消されるようにしたので、保護枠の後方側への配置によって炊飯器本体のコンパクト化を図りつつ、結合荷重の後方側の偏りによって生ずる炊飯器本体の前方側における肩部材と胴ケースとの間あるいは底部材と胴ケースとの間の隙間発生を防止することができるという効果がある。また、前記制御基板および電源基板を、前後並列に立設された基板カバーに対して垂直に支持したことにより、制御基板および電源基板の前後方向配置スペースを可及的に小さくできることとなり、炊飯器本体のコンパクト化に寄与するという効果もある。また、前記冷却ファンを、前記基板カバーのうち後方側に位置する電源基板用の基板カバーの下端に形成された凹部に収納した状態で配設したことにより、冷却ファンと電源基板用の基板カバーとが占める上下寸法をできるだけ小さくすることができることとなり、炊飯器本体の高さ寸法のコンパク化に寄与するという効果もある。
【００３９】
請求項４の発明におけるように、請求項３記載の電気炊飯器において、前記冷却ファンの前方側の位置決めを、前記底固定部への当接により行うようにした場合、冷却ファンの位置決めを底固定部を利用して行うことができることとなり、部品点数の低減に寄与する。
【図面の簡単な説明】
【００４０】
【図１】本願発明の実施の形態にかかる電気炊飯器の縦断面図である。
【図２】本願発明の実施の形態にかかる電気炊飯器の底部材を取り外した状態を示す底面図である。
【図３】本願発明の実施の形態にかかる電気炊飯器の底面図である。
【図４】本願発明の実施の形態にかかる電気炊飯器における制御基板用の基板カバーの正面図である。
【図５】本願発明の実施の形態にかかる電気炊飯器における制御基板用の基板カバーの下面図である。
【符号の説明】
【００４１】
１は炊飯器本体、２は蓋体、３は飯器、４は空間部、５は胴ケース、６は底部材、７は保護枠、８は肩部材、１１は電磁誘導コイル（ワークコイル）、１３は電源基板、１４は制御基板、１５，１６は基板カバー、１７は凹部、１８は冷却ファン、１９は吸気口、２０はヒートシンク、３５は結合手段、３６は取付用ボス、３７はビス、３８はビス穴、４２は底固定部、４３はビス、４４は条件設定部材、４５はビス穴、４６は排気口、４７は支持脚、Ｏは炊飯器本体の中心、Ｏ′は保護枠の中心。
【図１】
0003627699.tif 000002
【図２】
0003627699.tif 000003
【図３】
0003627699.tif 000004
【図４】
0003627699.tif 000005
【図５】
0003627699.tif 000006